(57)【要約】【課題】回路基板用コネクターのハウジングの回転を抑制するための構造のスペースを必要としないライトアングル型の回路基板用コネクターを提供する。【解決手段】回路基板３０に配設される電磁波シールド部材４０の一部分を切り欠くことにより舌片部１９を形成する。舌片部１９は、回路基板用コネクター１１のハウジング１３の回路基板３０の一面と接する面１３ｃに対して対向する面１３ｄに対向するように配設される。回路基板用コネクター１１は、外部コネクター２６を受容可能なように開口した受容部１７が形成されたハウジング１３と、結合部２３において回路基板３０に固定される回路基板用コンタクト１５を有し、舌片部１９は、面１３ｄにおける結合部２３よりも受容部１７側の箇所において配設される。【選択図】図２
2010277951.tif 000002
【特許請求の範囲】
【請求項１】
外部コネクターを受容するための受容部を有するハウジングを有するライトアングル型のコネクターを備える回路基板と、
当該回路基板に配設され、電磁波遮蔽機能を有する電磁波シールド部材とを備え、
前記コネクターは、結合部において前記回路基板の一面に固定され、
前記電磁波シールド部材は、当該電磁波シールド部材の一部分が切り欠かかれることで形成された舌片部を有し、
前記ハウジングは、前記回路基板の一面と当接する第１の面と、当該第１の面に対向する第２の面と有し、
当該舌片部は、前記第２の面における前記結合部よりも前記受容部側の箇所に対向して配設されることを特徴とする回路ユニット。
【請求項２】
第１の外部コネクターを受容するための第１の受容部を有する第１のハウジングを有するライトアングル型の第１のコネクターと、第２の外部コネクターを受容するための第２の受容部を有する第２のハウジングを有するライトアングル型の第２のコネクターを備える回路基板と、
当該回路基板に配設され、電磁波遮蔽機能を有する電磁波シールド部材とを備え、
前記第１のコネクターは、第１の結合部において前記回路基板の一面に固定され、
前記第２のコネクターは、第２の結合部において前記回路基板の一面に固定され、
前記電磁波シールド部材は、当該電磁波シールド部材の一部分が切り欠かかれることで形成された第１の舌片部と第２の舌片部とを有し、
前記第１のハウジングは、前記回路基板の一面と当接する第１の面と、当該第１の面に対向する第２の面と有し、
前記第２のハウジングは、前記回路基板の一面と当接する第３の面と、当該第３の面に対向する第４の面と有し、
前記第１の舌片部は、前記第２の面における前記結合部よりも前記受容部側の箇所に対向して配設され、前記第２の舌片部は、前記第４の面における前記結合部よりも前記受容部側の箇所に対向して配設され、
前記第１の舌片部と前記第２の舌片部が一体として前記電磁波シールド部材から切り欠かれることで形成されていることを特徴とする回路ユニット。
【請求項３】
前記第１の舌片部は、前記電磁波シールド部材に切り欠いた第１の切り欠きを、前記第１のハウジングの前記回路基板の一面と対向する面に対向するように折り曲げることで形成され、
前記第２の舌片部は、前記電磁波シールド部材に切り欠いた第２の切り欠きを、前記第２のハウジングの前記回路基板の一面と対向する面に対向するように折り曲げることで形成され、
一体として前記電磁波シールド部材から切り欠かれた前記第１の舌片部および前記第２の舌片部および、前記第１の舌片部と前記第２の舌片部の接続部分に対応して形成される、折り曲がらずに残る前記シールド部材の一部分が、前記第１のコネクターと前記第２のコネクターの間の領域において電磁波を遮蔽することを特徴とする請求項２に記載の回路ユニット。
【請求項４】
前記舌片部は、前記第２の面における、前記受容部よりも前記結合部側の箇所に対向して配設されることを特徴とする請求項１乃至請求項３のいずれか一項に記載の回路ユニット。
【発明の詳細な説明】
【技術分野】
【０００１】
本発明は、電子機器に搭載される回路ユニットに関する。
【背景技術】
【０００２】
ライトアングル型の回路基板用コネクターは、コンタクトの先端を回路基板とはんだ付けすることで回路基板に対し固定される。しかし、はんだ付けのみの固定の場合、ライトアングル型の回路基板用コネクターに対し外部コネクターを結合する際、外部コネクターを回路基板用コネクターに差し込む力が回路基板用コネクターに作用し、回路基板用コネクターのハウジングが回転することで持ち上げられ、回路基板用コネクターと回路基板の接触不良の支障が生じる虞がある。この状況に鑑み、例えば、特許文献１に示すように、回路基板用コネクターのハウジングに、回路基板に設けられた取付孔と係合するような突起を設けるなど、回路基板用コネクターのハウジングに回転を規制するような構造が設けられている。
【０００３】
しかしながら、回路基板用コネクターのハウジングに上記のような構成を設ける場合、それに応じたスペースが必要となる。回路基板上にスペースが必要となる構成は、設計上問題になることが多い。また、スペースのために、回路基板を搭載した装置が大型化してしまう。
【先行技術文献】
【特許文献】
【０００４】
【特許文献１】特開２０００−６７９５９号公報
【発明の概要】
【発明が解決しようとする課題】
【０００５】
そこで、本発明の目的は、回路基板用コネクターの周囲に、回路基板用コネクターのハウジングの回転を規制するための構造のスペースを必要としない、省スペースを実現した、ライトアングル型の回路基板用コネクターを有する回路ユニットを提供することにある。
【課題を解決するための手段】
【０００６】
上記課題を解決するための回路ユニットの第１の態様は、外部コネクターを受容するための受容部を有するハウジングを有するライトアングル型のコネクターを備える回路基板と、当該回路基板に配設され、電磁波遮蔽機能を有する電磁波シールド部材とを備え、前記コネクターは、結合部において前記回路基板の一面に固定され、前記電磁波シールド部材は、当該電磁波シールド部材の一部分が切り欠かかれることで形成された舌片部を有し、前記ハウジングは、前記回路基板の一面と当接する第１の面と、当該第１の面に対向する第２の面と有し、当該舌片部は、前記第２の面における前記結合部よりも前記受容部側の箇所に対向して配設されることを特徴とする。
【０００７】
第１の態様によれば、ライトアングル型の回路基板用コネクターに対し、外部コネクターを結合する際、回路基板用コネクターのハウジングが回転し持ち上がりそうになったとしても、舌片部がハウジングの持ち上がる側に干渉する。したがって、ハウジングの回転が抑制される。よって、ハウジング等に回転を抑制する構造を設ける必要はない。ここで、舌片部は、回路基板に配設される電磁波シールド部材を切り欠くことで形成するため、別途スペースは必要なく、ライトアングル型回路基板用コネクターを有する、省スペースの回路ユニットを実現できる。
【０００８】
上記課題を解決するための回路ユニットの第２の態様は、第１の外部コネクターを受容するための第１の受容部を有する第１のハウジングを有するライトアングル型の第１のコネクターと、第２の外部コネクターを受容するための第２の受容部を有する第２のハウジングを有するライトアングル型の第２のコネクターを備える回路基板と、当該回路基板に配設され、電磁波遮蔽機能を有する電磁波シールド部材とを備え、前記第１のコネクターは、第１の結合部において前記回路基板の一面に固定され、前記第２のコネクターは、第２の結合部において前記回路基板の一面に固定され、前記電磁波シールド部材は、当該電磁波シールド部材の一部分が切り欠かかれることで形成された第１の舌片部と第２の舌片部とを有し、前記第１のハウジングは、前記回路基板の一面と当接する第１の面と、当該第１の面に対向する第２の面と有し、前記第２のハウジングは、前記回路基板の一面と当接する第３の面と、当該第３の面に対向する第４の面と有し、前記第１の舌片部は、前記第２の面における前記結合部よりも前記受容部側の箇所に対向して配設され、前記第２の舌片部は、前記第４の面における前記結合部よりも前記受容部側の箇所に対向して配設され、前記第１の舌片部と前記第２の舌片部が一体として前記電磁波シールド部材から切り欠かれることで形成されていることを特徴とする。
【０００９】
第２の態様によれば、並列して配設されるライトアングル型の回路基板用コネクターに対し、外部コネクターを結合する際、回路基板用コネクターのハウジングが回転し持ち上がりそうになったとしても、舌片部がハウジングの持ち上がる側に干渉する。したがって、ハウジングの回転が抑制される。よって、ハウジング等に回転を抑制する構造を設ける必要はない。ここで、舌片部は、回路基板に配設される電磁波シールド部材を切り欠くことで形成するため、別途スペースは必要なく、省スペースのライトアングル型回路基板用コネクターを実現できる。さらに、並列して形成される舌片部が一体として形成されるため、舌片部の剛性が高められる。したがって、好適に回路基板用コネクターのハウジングの回転が抑制される。
【００１０】
上記課題を解決するための回路ユニットの第３の態様は、第２の態様において、前記第１の舌片部は、前記電磁波シールド部材に切り欠いた第１の切り欠きを、前記第１のハウジングの前記回路基板の一面と対向する面に対向するように折り曲げることで形成され、前記第２の舌片部は、前記電磁波シールド部材に切り欠いた第２の切り欠きを、前記第２のハウジングの前記回路基板の一面と対向する面に対向するように折り曲げることで形成され、一体として前記電磁波シールド部材から切り欠かれた前記第１の舌片部および前記第２の舌片部および、前記第１の舌片部と前記第２の舌片部の接続部分に対応して形成される、折り曲がらずに残る前記シールド部材の一部分が、前記第１のコネクターと前記第２のコネクターの間の領域において電磁波を遮蔽することを特徴とする。
【００１１】
第３の態様によれば、並列して配設されるライトアングル型の回路基板用コネクターに対し、外部コネクターを結合する際、回路基板用コネクターのハウジングの回転が抑制されるのに加え、電磁波シールド部材の一部分により、コネクター間の位置の回路基板の外周面を覆うことができる。したがって、電磁波シールド部材を切り欠くことにより露呈する回路基板の平面領域を少なくすることができ、好適に回路基板を電気的に遮蔽することができる。
【００１２】
上記課題を解決するための回路ユニットの第４の態様は、第１の態様乃至第３の態様のいずれかの態様において、前記舌片部は、前記第２の面における、前記受容部よりも前記結合部側の箇所に対向して配設されることを特徴とする。
【００１３】
第４の態様によれば、回路基板用コネクターのハウジングの受容部は、舌片部に覆われることなく露呈する。したがって、回路基板用コネクターに対し、外部コネクターを結合する際、舌片部に外部コネクターが接触することがないため、コネクター間の結合を妨げる虞がない。
【図面の簡単な説明】
【００１４】
【図１】本実施形態に係る回路ユニットの斜視図。
【図２】回路基板用コネクター周辺の要部拡大図。
【図３】図２のＡ−Ａ断面図。
【図４】本実施形態の作用を示す断面図。
【図５】第２実施形態の回路基板用コネクター周辺の要部拡大図。
【発明を実施するための形態】
【００１５】
以下、本実施形態を図面に基づいて説明する。
【００１６】
図１に示すのは、本実施形態に係る回路ユニットの斜視図である。
図１に示すように、回路ユニット１は、回路基板用コネクター１０，１１を有する回路基板３０および回路基板３０に配設され、電磁波遮蔽する電磁波シールド部材４０，４１を有している。電磁波シールド部材４０，４１は、回路基板３０から発生する高周波の電磁波が、周囲に配置される電子部品に与える影響を低減するために配設される。
【００１７】
電磁波シールド部材４０は、回路基板３０の回路基板用コネクター１０，１１が形成される面に配設され、回路基板３０と接触する面が開口した箱状をなす。電磁波シールド板４０ａ，４０ｂ，４０ｃ，４０ｄは、一辺が回路基板３０に接触する、電磁波シールド部材４０の一部分である電磁波シールド板を表す。電磁波シールド板４０ａ，４０ｂ，４０ｃ，４０ｄは、回路基板３０の一面に対し略垂直に形成され、電磁波シールド板４０ａ，４０ｂ，４０ｃ，４０ｄの配置の仕方により、電磁波シールド部材４０で覆う、回路基板３０の一面の領域が決定される。
【００１８】
ここで、回路基板３０の一面には、回路基板用コネクター１０，１１をはじめ、集積回路等の構成により電子回路が構成される。電子回路を他の電子部品と接続する多様な構造を、必要に応じて覆うことができるように、電磁波シールド部材４０の形状は、回路基板３０の一面に対し立体的に構成される。尚、回路基板３０における集積回路等の構造は、本発明を説明する上で必要のない構成であるため、本発明の特徴的部分を説明するために必要な回路基板用コネクター１０，１１以外の構成の記載は省略してある。
【００１９】
また、電磁波シールド部材４０は、導電性を有する板金をプレス加工することにより形成される。電磁波シールド部材４０は、精密部材により構成される回路基板３０に対する衝撃を防ぐ構成も兼ねるため、材料として剛性を有する金属が用いられる。本実施形態においては、電気亜鉛メッキ鋼が用いられる。しかし、電磁波遮蔽機能を有し、剛性を有する材料であれば、どのような材料でも構わないことは言うまでもない。
【００２０】
また、電磁波シールド部材４１は、回路基板３０の回路基板用コネクター１０，１１が形成される面の裏面（回路基板３０の裏面）に配設される電磁波シールド部材である。電磁波シールド部材４０同様、導電性を有する電気亜鉛メッキ鋼などの板金をプレス加工することにより形成される。ただし、回路基板３０の裏面にはコネクター等の構造は形成されないため、回路基板３０の一面に沿うように扁平に構成される。
【００２１】
ここで、ねじ止め部２０，２１が、電磁波シールド板４０ａの、回路基板３０と接触する端部から延設するように形成される。また、ねじ止め部２２が、電磁波シールド板４０ｄの、回路基板３０と接触する端部から延設するように形成される。ねじ止め部２０，２１，２２は、回路基板３０の一面と当接する。電磁波シールド部材４０は、ねじ止め部２０と回路基板３０との間に形成されているねじ穴（図示せず）に螺号するねじ５０によって、回路基板３０にねじ止めされている。同様に、ねじ５１は、ねじ止め部２１と回路基板３０との間をねじ止めし、ねじ５２は、ねじ止め部２２と回路基板３０との間をねじ止めしている。図示しないが、電磁波シールド部材４１にもねじ止め部が設けられ、ねじ５３により、電磁波シールド部材４１と回路基板３０は、固定される。また、例えば、ねじ止め部２１のように、ねじ止め部を、電磁波シールド部材４１との間に回路基板３０を挟みこむように形成した場合、一のねじ５１でねじ止め部２１、回路基板３０、電磁波シールド部材４１を固定するようにしてもよい。
尚、図中の舌片部１８，１９については、後述する。
【００２２】
ここで、本発明の回路基板用コネクター１０，１１は、ライトアングル型で構成されている。ライトアングル型の回路基板用コネクターについて図２、図３および図４をもとに説明を行う。
【００２３】
図２は、回路基板用コネクター周辺の要部拡大図である。図３は、図２のＡ−Ａ断面図である。図４は、本実施形態の作用を示す断面図である。図２に示すように、ライトアングル型の回路基板用コネクター１０，１１は、外部コネクターを受容可能なように開口した受容部１６，１７が、回路基板３０の一面に対し略垂直な面に形成された箱状のハウジング１２，１３および、回路基板用コンタクト１４，１５からなる。
【００２４】
続いて、図３、図４をもとにライトアングル型の回路基板用コネクターの構造の詳細を、回路基板用コネクター１１を例として記載する。回路基板用コネクター１０についても、同様の構成をとるため、回路基板用コネクター１０についての説明は省略する。
【００２５】
図３に示すように、ライトアングル型の回路基板用コンタクト１５は、回路基板３０の一面に対し略平行に形成される受容部側回路基板用コンタクト１５ａおよび回路基板３０の一面に対し略垂直に形成される基板側回路基板用コンタクト１５ｂとからなる。受容部側回路基板用コンタクト１５ａは、図４に示すような、外部コネクター２６のコンタクトである外部コンタクト２５と接続される側の回路基板用コンタクト１５の部分であり、基板側回路基板用コンタクト１５ｂは、回路基板３０と接続される側の回路基板用コンタクト１５の部分である。ここで、図３、図４においては、受容部側回路基板用コンタクト１５ａと、基板側回路基板用コンタクト１５ｂの接続部分が直角に図示されているが、接続部分が曲率を有していても構わない。尚、ハウジング１３は、回路基板用コンタクト１５の形状に合わせた形状に構成されており、ハウジング１３と回路基板用コンタクト１５は一体的な構造である。
【００２６】
基板側回路基板用コンタクト１５ｂは、回路基板３０に設けられる挿通穴２４に挿通され、回路基板３０の回路基板用コネクター１１が形成されている面の裏側の面において、はんだ付けにより固定される。以後、はんだ付けされる箇所を結合部２３と記載する。はんだ付けより、回路基板用コネクター１１は、回路基板３０の一面に対して固定されるとともに、回路基板３０と電気的に接続される。すなわち、ハウジング１３は、基板側回路基板用コンタクト１５ｂと接触し、さらに回路基板３０と接触する接触部２７において、回路基板３０の一面に対して固定される。
【００２７】
上記のような構成により、ライトアングル型の回路基板用コネクター１１に対し、外部コネクター２６を結合させる際は、外部コネクター２６は、受容部１７側から、回路基板３０の一面に略平行な方向（矢印Ｂの方向）に差し込まれる。
【００２８】
ここで、図４に示すような外部コンタクト２５は、ハウジング１３の内壁面１３ａ（図３参照）に沿って案内され差し込まれることで、好適に回路基板用コンタクト１５と接続することができる。
【００２９】
ところで、外部コネクター２６を回路基板用コネクター１１に結合させる際に、回路基板用コネクター１１の固定が、上記はんだ付けのみの場合、外部コネクター２６を回路基板用コネクター１１に差し込む力が回路基板用コネクター１１に作用し、回路基板用コネクター１１のハウジング１３が図４に点線に示すように持ち上がる虞がある。理由を以下に記載する。
【００３０】
図４に示すように、回路基板３０の一面に略平行な方向（矢印Ｂの方向）に、外部コネクター２６を回路基板用コネクター１１に差し込むと、ハウジング１３に対しても矢印Ｂの方向に力が加わる。それに伴い、ハウジング１３は矢印Ｂの向きに移動しようとするが、ハウジング１３は、接触部２７で固定されているため移動することはない。
【００３１】
ここで、基板側回路基板用コンタクト１５ｂは、回路基板３０の一面に対して略垂直方向に配設された状態で固定されている。したがって、基板側回路基板用コンタクト１５ｂは、回路基板３０の一面に対して垂直方向の力に対する固定強度に比べて、略平行方向の力に対する固定強度が弱い。そのため、矢印Ｂの方向に、過度な力が加わると、基板側回路基板用コンタクト１５ｂの回路基板３０に対して固定される力が弱まる。すると、ハウジング１３の回路基板３０に対して固定される力も弱まる。ここで、外部コンタクト２５が、ハウジング１３の内壁面１３ａに沿って案内される際、ハウジング１３を回路基板３０から離すように作用する、矢印Ｃの方向の力が誤ってかけられた場合、ハウジング１３が回路基板３０から離れるように回転する。
【００３２】
具体的には、ハウジング１３が矢印Ｃの方向に回転し、ハウジング１３の受容部１７と対向する面の回路基板３０と接する部分である回転中心１３ｂを回転中心として、点線で示すように、ハウジング１３が回転する虞がある。ハウジング１３が回転することにより、基板側回路基板用コンタクト１５ｂと回路基板３０の接触不良が生じる。
【００３３】
続いて、本発明の特徴的構成である舌片部１９について記載する。以下に記載する、舌片部１９と回路基板用コネクター１１の関係は、舌片部１８と回路基板用コネクター１０の関係に対しても同様のことが言えるので、舌片部１８についての記載は省略する。
【００３４】
舌片部１９は、図３に示すように、電磁波シールド板４０ａに形成された切り欠きを、ハウジング１３の回路基板３０の一面と当接する面１３ｃに対して対向する面１３ｄに対向するように近接させた状態に折り曲げることで形成される。つまり、ハウジング１３は、回路基板３０の一面に当接する面１３ｃと、舌片部１９と対向する面１３ｄとを有する。また、舌片部１９は、面１３ｄにおける結合部２３よりも受容部１７側の箇所に対向して配設される。
【００３５】
図４に点線で示すように、回転によりハウジング１３が回路基板３０の一面に対し持ち上がる場合、ハウジング１３の受容部１７側の部分が持ち上がるが、舌片部１９がハウジング１３に干渉する。
【００３６】
回転中心１３ｂよりも受容部１７側に位置する接触部２７で、ハウジング１３が回路基板３０の一面に対して固定され、さらに受容部１７側において舌片部１９がハウジング１３に干渉するため、好適に、ハウジング１３の回転を抑制することができる。また、舌片部１９は、剛性を有する電磁波シールド部材４０と同一の部材から形成されるため、ハウジング１３に干渉することで、好適にハウジング１３の回転を規制する。
【００３７】
尚、回路基板用コネクター１０，１１は、外部コネクターと結合する必要があるため、回路基板３０の一面の端部に配設され、電磁波シールド部材４０で覆わない。また、電磁波シールド部材４０で覆う、回路基板３０の一面領域を大きくするほど、回路基板３０から発生する電磁波を遮蔽することができる。したがって、電磁波シールド部材４０で覆う、回路基板３０の一面領域を大きくするために、電磁波シールド板４０ａは、回路基板用コネクター１１の近傍に配設される。
【００３８】
尚、図３に示す面１３ｅのような、回路基板用コネクター１０，１１のハウジング１２，１３の回路基板３０の一面に対し略垂直に形成される面と対向するように、電磁波シールド板４０ａが配設されていると、電磁波シールド板４０ａに上記した構造の舌片部１９を配設することができる。よって、回路基板用コネクター１０，１１の近傍に配設される電磁波シールド板４０ａを、回路基板用コネクター１０，１１のハウジング１２，１３の回路基板３０の一面に対し略垂直に形成される面と対向するように配設させることで、ハウジング１３等に回転を抑制する構造を設けることなく、ハウジング１２の回転移動を抑制することができる。舌片部は電磁波シールド板４０ａを切り欠くことで形成するため、別途スペースは必要なく、ライトアングル型回路基板用コネクターを有する、省スペースの回路ユニットを実現できる。
【００３９】
また、舌片部１８，１９は、電磁波シールド部材４０をプレス加工することに形成する。舌片部１８，１９は、電磁波シールド板４０ａに形成された切り欠きを、ハウジング１２，１３の回路基板３０の一面と当接する面に対して対向する面に対向するように近接させた状態に折り曲げることで形成される。ここで、電磁波シールド板４０ａに形成される、ねじ止め部２０，２１は、回路基板３０の一面に当接するように形成される。つまり、舌片部１８，１９の一面とねじ止め部２０，２１の一面は平行である。したがって、プレス加工の際は、舌片部１８，１９および、ねじ止め部２０，２１を同時に成形することができる。よって、舌片部１８，１９成形のための工数を増やすこともない。
【００４０】
また、図３に示すように、舌片部１９は、面１３ｄにおける、受容部１７よりも結合部２３側の箇所に対向して配設される。つまり、回路基板用コネクター１１の受容部１７は、舌片部１９に覆われることなく露呈する。したがって、外部コネクター２６を回路基板用コネクター１１に結合させる際に、舌片部１９に対し外部コンタクト２５が接触することがないため、コネクター間の結合が妨げられる虞がない。
【００４１】
舌片部１９の先端部１９ａの位置は、舌片部１９を電磁波シールド板４０ａから切り欠く際に、調整することができる。
【００４２】
続いて、第２実施形態を説明する。第１実施形態と同じ符号を用いた箇所については、第１実施形態と同じ態様であるため、説明を省略する。
【００４３】
図５は、第２実施形態の回路基板用コネクター周辺の要部拡大図である。
図５に示すように、ライトアングル型の回路基板用コネクター１１０，１１１は、外部コネクターを受容可能なように開口した受容部１１６，１１７が、回路基板３０の一面に対し略垂直な面に形成された箱状のハウジング１１２，１１３および、回路基板用コンタクト１１４，１１５からなる。回路基板用コネクター１１０および回路基板用コネクター１１１は、回路基板３０上に並列して配設される。
【００４４】
舌片部１１８は、ハウジング１１２の回路基板３０の一面と当接する面に対して対向する面に対向するように形成されている。また、舌片部１１９は、ハウジング１１３の回路基板３０の一面と当接する面に対して対向する面に対向するように形成されている。
【００４５】
ここで、舌片部１１８，１１９は電磁波シールド板４０ａから切り欠く際に、一体的に切り欠かれている。具体的には、舌片部１１８および舌片部１１９を切り欠く際、舌片部接続部１２０を介して、舌片部１１８と舌片部１１９および舌片部接続部１２０を一体成形する。
【００４６】
第１実施形態において、図４に示すように、ハウジング１３が回転した際、ハウジング１３に干渉した舌片部１９は矢印Ｃの方向に変形する虞がある。しかし、第２実施形態においては、舌片部１１８および舌片部１１９が一体的に形成されるため、例えば、舌片部１１８を変形させようとした場合、舌片部１１９を変形させる力を要する。このように、舌片部１１８，１１９の変形を抑制することができ、好適に回路基板用コネクター１１０，１１１のハウジング１１２，１１３の回転が抑制される。
【００４７】
また、電磁波シールド板４０ａを折り曲げて、舌片部１１８と舌片部１１９を形成する際、舌片部接続部１２０を、図５に示すように、舌片部１１８と舌片部１１９の先端部１１８ａ，１１９ａ側に設けると、電磁波シールド板４０ａの一部分１５０が折れ曲がらずに残る。電磁波シールド部材４０の一部分を切り欠くことで、切り欠かれた箇所に対応する回路基板３０が露呈し電磁波シールド部材４０の電磁波遮蔽機能が低減するが、電磁波シールド板４０ａの一部分１５０は、回路基板３０の一面に対し略垂直な面からなる電磁波シールド板４０ａとしての形状を維持しており、回路基板用コネクター１１０および回路基板用コネクター１１１の間の領域において電磁波を遮蔽する状態を維持する。
【００４８】
したがって、電磁波シールド板４０ａを切り欠くことにより露呈する回路基板３０の一面の領域を少なくすることができ、好適に回路基板を電気的に遮蔽することができる。
【００４９】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００５０】
１…回路ユニット、１０，１１，１１０，１１１…回路基板用コネクター、１２，１３，１１２，１１３…ハウジング、１４，１５，１１４，１１５…回路基板用コンタクト、１６，１７，１１６，１１７…受容部、１８，１９，１１８，１１９…舌片部、２０，２１，２２…ねじ止め部、２３…結合部、２４…挿通穴、２５…外部コンタクト、２６…外部コネクター、２７…接触部、３０…回路基板、４０，４１…電磁波シールド部材、５０，５１，５２，５３…ねじ、１２０…舌片部接続部、１５０…電磁波シールド板４０ａの一部分。
【図１】
2010277951.tif 000003
【図２】
2010277951.tif 000004
【図３】
2010277951.tif 000005
【図４】
2010277951.tif 000006
【図５】
2010277951.tif 000007